(57)【要約】【課題】液晶表示モジュールにおける最適黒表示電圧を容易に設定するための表示特性検出装置を提供する。【解決手段】ホモジニアス型液晶表示モジュール１の表示面に設定されている白表示エリア１ｂと黒表示エリア１ｃにそれぞれ第１、第２フォトセンサ２、３を対向配置し、これらフォトセンサ２、３の出力をそれぞれ差動増幅器６に入力し、この差動増幅器６から出力される出力電位差は、ゲイン補正を行う可変ゲインアンプ１３とオフセット補正を行う加算器１４を介してオシロスコープ１５に供給されている。調整作業者は、オシロスコープ１５を観察しながら液晶表示モジュール１に設けられている可変抵抗器１ｅのボリュームを操作し、出力電位差の値が最大値を示すように前記ボリュームを固定することにより、最適黒表示電圧を設定する。【選択図】図１
2006178365.tif 000002
【特許請求の範囲】
【請求項１】
表示画面が最も明るい白表示から最も暗い黒表示まで複数の階調を表示することが可能な液晶表示素子において、前記液晶表示素子が前記黒表示を行うときに液晶層に印加する黒表示電圧を、前記黒表示の明るさが極小値を示す最適黒表示電圧に、調整するための表示特性を検出する表示特性検出装置であって、
液晶表示素子の白表示と黒表示が行われている各エリアからの透過光をそれぞれ検出して第１の起電力と第２の起電力にそれぞれ変換する光電変換素子と、
前記黒表示が行われているエリアの液晶層に印加される前記黒表示電圧を測定する黒表示電圧測定手段と、
前記第１の起電力に基づく白表示電位と前記第２の起電力に基づく黒表示電位との電位差を測定する白黒電位差測定手段と、
前記黒表示電圧測定手段により測定された黒表示電圧値と前記白黒電位差測定手段から出力される白黒電位差とに基づき、黒表示電圧値に対する白黒電位差の変化率と前記白黒電位差の絶対値との少なくとも一方が、予め定めたそれぞれの範囲に入るように、前記白黒電位差を補正して白黒電位差電圧を出力する補正手段と、
前記補正手段から出力される白黒電位差電圧を表示する表示手段と、
を有することを特徴とする液晶表示素子の表示特性検出装置。
【請求項２】
前記補正手段は、前記白黒電位差測定手段により測定された白黒電位差を異なる増幅率で増幅する可変ゲインアンプと、前記黒表示電圧の変化量に対する前記白黒電位差の変化量の割合に基づいて前記可変ゲインアンプの前記増幅率を制御するゲイン補正手段とを、備えていることを特徴とする請求項１に記載の液晶表示素子の表示特性検出装置。
【請求項３】
前記補正手段は、前記白黒電位差測定手段により測定された白黒電位差の値に異なる値を加算する加算器と、白黒電位差の絶対値に基づき、前記加算器により前記白黒電位差の値に加算する値を制御するオフセット補正手段とを備えていることを特徴とする請求項１又は請求項２に記載の液晶表示素子の表示特性検出装置。
【請求項４】
前記液晶表示素子は、一対の平行な基板間に挟持した液晶層の液晶分子を電界が印加されていない初期状態において一対の基板に略平行に配向させたホモジニアス型液晶表示素子であることを特徴とする請求項１乃至請求項３のうちの何れかの請求項に記載の液晶表示素子の表示特性検出装置。
【発明の詳細な説明】
【技術分野】
【０００１】
この発明は、液晶表示素子において、最適な黒表示が得られる印加電圧を特定するための表示特性を検出する装置に関する。
【背景技術】
【０００２】
近年、フラットパネルディスプレイとして液晶表示素子が多用されている。この液晶表示素子は、光学的複屈折層の液晶層に電圧を印加して液晶分子の配向を変化させ、その複屈折効果を変化させることにより液晶層を透過する光の透過率を制御して表示を行うものである。
【０００３】
このような液晶表示素子では、電圧を印加しないときに白表示を行うノーマリホワイトモードの場合、液晶表示素子の光透過率は、液晶への印加電圧が高くなるのに伴い徐々に減少して極小値を示す。従って、黒表示を行う液晶に印加する電圧（以下、黒表示電圧という）は、光透過率が極小値となる電圧に設定される。
【０００４】
ところが、液晶材料のΔn の値や液晶層厚等にバラツキがあるため、各液晶表示素子ごとに、或いは、製造ロッドごとに、液晶層の電気光学特性に違いが生じ、白表示と黒表示の明度差つまりコントラストにバラツキが生じる。このような場合に対し、従来は、特許文献１に示されているように、液晶表示素子の入、出射側に設けられている偏光板や位相差板等の光学素子の光学軸の配置を調整する等の方法により、最低光量の黒表示が得られるようにしていた。
【０００５】
しかるに、上述の方法による場合、液晶表示素子の光学素子を含めた全体構造が複雑化するだけでなく、光漏れの度合いが或る程度大きくなると対処できないという問題がある。そこで、個々の液晶表示素子毎に最適な黒表示が得られる電圧（以下、最適黒表示電圧という）を設定する方法がとられている。
【０００６】
しかし、個々の液晶表示素子毎に最適黒表示電圧を設定する方法は、その設定作業者の熟練度等によって作業効率が大幅に変動する。特に、液晶表示素子のうちでも、ホモジニアス型液晶表示素子は、応答速度を速くするために液晶分子を捩れ配向させずにプレチルト角で倒伏状態と斜めに立ち上がった状態との間で挙動させるため、図２(ａ)にも示されるように、液晶に印加する電圧の上昇に伴って、光透過率が低下して最小値を示した後、さらに液晶印加電圧を上げていくと光透過率が上昇するという電気光学特性を備えている。そのため、黒表示電圧として設定できる電圧値の範囲が狭く、各液晶表示素子ごとに、良好な黒表示が得られるように黒表示電圧を最適化することが難しい。
【特許文献１】特開２０００−３４７１７７号公報
【発明の開示】
【発明が解決しようとする課題】
【０００７】
本発明の課題は、ホモジニアス型液晶表示素子を含む全ての液晶表示素子における最適黒表示電圧を容易且つ正確に設定するための表示特性検出装置を提供することである。
【課題を解決するための手段】
【０００８】
本発明の液晶表示素子の表示特性検出装置は、表示画面が最も明るい白表示から最も暗い黒表示まで複数の階調を表示することが可能な液晶表示素子において、前記液晶表示素子が前記黒表示を行うときに液晶層に印加する黒表示電圧を、前記黒表示の明るさが極小値を示す最適黒表示電圧に調整するための表示特性を検出する表示特性検出装置であって、液晶表示素子の白表示と黒表示が行われている各エリアからの透過光をそれぞれ検出して第１の起電力と第２の起電力にそれぞれ変換する光電変換素子と、前記黒表示が行われているエリアの液晶層に印加される前記黒表示電圧を測定する黒表示電圧測定手段と、前記第１の起電力に基づく白表示電位と前記第２の起電力に基づく黒表示電位との電位差を測定する白黒電位差測定手段と、前記黒表示電圧測定手段により測定された黒表示電圧値と前記白黒電位差測定手段から出力される白黒電位差とに基づき、黒表示電圧値に対する白黒電位差の変化率と前記白黒電位差の絶対値との少なくとも一方が、予め定めたそれぞれの範囲に入るように、前記白黒電位差を補正して白黒電位差電圧を出力する補正手段と、前記補正手段から出力される白黒電位差電圧を表示する表示手段とを有することを特徴とするものである。
【発明の効果】
【０００９】
本発明の液晶表示素子の表示特性検出装置によれば、白表示と黒表示の各エリアを透過した光をそれぞれ起電力に変換して、それらの起電力間の電位差である白黒電位差を求め、この白黒電位差にゲイン補正及び／又はオフセット補正を加えて表示手段に出力するから、黒表示電圧の変化に伴う白黒電位差の変化が明確に表示手段によって表示され、調整作業者はその表示を観察しつつ最小照度の黒表示が得られる最適黒表示電圧を容易且つ正確に設定することができる。
【発明を実施するための最良の形態】
【００１０】
本発明の液晶表示素子の表示特性検出装置においては、補正手段が、前記白黒電位差測定手段により測定された白黒電位差を異なる増幅率で増幅する可変ゲインアンプと、前記黒表示電圧の変化量に対する前記白黒電位差の変化量の割合に基づいて前記可変ゲインアンプの前記増幅率を制御するゲイン補正手段とを備えていることが好ましく、これにより、前記最適黒表示電圧を液晶表示素子の電気光学特性のバラツキに影響されることなく、常に正確に設定することが可能となる。
【００１１】
また、本発明の液晶表示素子の表示特性検出装置においては、補正手段が、前記白黒電位差測定手段により測定された白黒電位差の値に異なる値を加算する加算器と、白黒電位差の絶対値に基づき、前記加算器により前記白黒電位差の値に加算する値を制御するオフセット補正手段とを、備えていることが好ましく、これにより、前記最適黒表示電圧を光電変換素子の配置やバックライトの輝度特性のバラツキ等にも影響されることなく、常に適正に設定することが可能となる。
【００１２】
さらに、本発明の液晶表示素子の表示特性検出装置は、液晶表示素子が一対の平行な基板間に挟持した液晶層の液晶分子を電界が印加されていない初期状態において一対の基板に略平行に配向させたホモジニアス型液晶表示素子である場合に、特に好適であり、黒表示電圧として設定できる電圧値の範囲が狭いホモジニアス型液晶表示素子であっても、最適黒表示電圧を容易且つ正確に設定することができる。
【００１３】
以下、本発明の好適な実施形態について説明する。
図１は本発明の一実施形態を示すブロック図で、透過型液晶表示モジュールにおける黒表示電圧の設定を行うための表示特性を検出する装置の構成を示している。
【００１４】
本実施形態における黒表示電圧の調整設定対象である透過型液晶表示モジュール１は、ホモジニアス型液晶表示モジュールであり、大略、一対の平行なガラス基板間に挟持した液晶層の液晶分子を電界が印加されていない初期状態において一対の基板間でねじれること無く略平行に配向させた液晶パネルと、この液晶パネルを挟むように配置された一対の偏光板とからなるホモジニアス型液晶表示素子と、この背面側に配設された面発光バックライトからなる。
【００１５】
ホモジニアス型液晶表示素子は、前述したように、図２(ａ)に示す電気光学特性を備えている。すなわち、光透過率が液晶印加電圧の増加に伴い低下し、光透過率が最小値を示した後、再び上昇する特性を備えている。従って、黒表示電圧は光透過率が最小値を示す電圧の点Ｐとその極近傍の狭い範囲内に設定する必要がある。
【００１６】
本実施形態においては、調整設定対象の液晶表示モジュール１の表示エリア１ａを２分し、白表示エリア１ｂと黒表示エリア１ｃが設定されており、調整作業実施時においては、図２(ｂ)に示す白黒テストパターンが表示される。なお、白黒テストパターンは図２(ｂ)に示す上下２段パターンに限らず、口の字型等の他の種々のパターンを採用できる。
【００１７】
液晶表示モジュール１には、各ガラス基板の対向面にそれぞれ配設されている電極に電圧を印加して液晶層に電界を作用させ液晶分子の配向を変化させるためのドライバ１ｄが設けられている。このドライバ１ｄには、液晶に印加する電圧レベルを調整するための可変抵抗器１ｅが付設されている。したがって、ドライバ１ｄは、調整作業者が可変抵抗器１ｅのボリュームを操作することにより電源電圧ＶDDが所望の電圧レベルに調整されて入力される駆動電圧を、表示信号に応じた電圧に調整して出力配線１ｆを介し各電極に出力し、液晶を駆動する。
【００１８】
上述の白、黒表示エリア１ｂ、１ｃの各中央部には、受光光量を起電力に変換する光電変換素子としての第１、第２フォトセンサ２、３が、所定の間隔を保ってそれぞれ対向配置されている。これら、第１、第２フォトセンサ２、３は、それぞれ、第１、第２フォトセンサアンプ４、５に電気接続されている。そして、これら第１、第２フォトセンサアンプ４、５は、差動増幅器６に電気接続されている。
【００１９】
第１、第２フォトセンサ２、３は、それぞれ、対応する各エリアの白、黒各表示を行う光を受光してこれらを第１と第２の各起電力に光電変換し、各起電力を接続された第１、第２フォトセンサアンプ４、５にそれぞれ出力する。第１、第２フォトセンサアンプ４、５は、それぞれ、入力された第１と第２の各起電力を適切な電位に増幅し、差動増幅器６に出力する。差動増幅器６は、第１、第２フォトセンサアンプ４、５からそれぞれ出力される第１と第２の起電力に基づく各電位の差つまり電位差を所望の電圧レベルに増幅して出力する。
【００２０】
上記差動増幅器６から出力される電位差は、液晶表示モジュール１の白表示エリア１ｂと黒表示エリア１ｃにおける各照度の差に基づく電位差であり、黒表示エリア１ｃの液晶層に印加される黒表示電圧が、図２(ａ)の特性曲線において透過率が最小値を示すポイントＰの電圧のとき最大となり、この電圧が最適黒表示電圧となる。従って、調整作業者は、差動増幅器６から出力される電位差が最大となるように可変抵抗器１ｅのボリュームを調節すればよい。しかし、その差動増幅器６からの出力電位差の黒表示電圧に対する変化率や変化範囲は、液晶表示素子自体の電気光学特性だけでなく、バックライトの輝度特性や第１、第２フォトセンサ２、３の設置位置等の諸々の条件によって個々の調整対象液晶表示モジュール毎にばらつくため、全ての調整対象液晶表示モジュールに対してその出力電位差が最大となる黒表示電圧つまり最適黒表示電圧を正確に判断することは極めて困難である。
【００２１】
本実施形態においては、上述した差動増幅器６から出力される電位差が最大となるポイントの正確な判断を容易に行えるように、その電位差の黒表示電圧に対する変化率と変化範囲を補正手段により補正する。
【００２２】
補正手段は、ＣＰＵ（Central Processing Unit）７の入力側と出力側にそれぞれ一対の第１、第２のＡ／Ｄ変換器８、９と、第１、第２のＤ／Ａ変換器１０、１１がバス接続されてなるコントローラ１２と、ゲイン補正を行うための可変ゲインアンプ１３、及びオフセット補正を行うための加算器１４とからなっており、差動増幅器６の出力電圧が入力され、この補正手段により補正された出力がオシロスコープにより表示される。差動増幅器６の出力は出力配線１６の一方の配線１６ａにより前記補正手段の可変ゲインアンプ１３に、他方配線１６ｂにより第２Ａ／Ｄ変換器９に、それぞれ電気接続されている。
【００２３】
第１のＡ／Ｄ変換器８は、液晶表示モジュール１の可変抵抗器１ｅの可変電圧の出力端１ｇに、配線１７により電気接続されている。これにより、電源電圧ＶDDの可変抵抗器１ｅを介した最大レベルの電圧、つまり本実施形態のネガ表示タイプホモジニアス液晶表示素子においては液晶駆動電圧のうちの黒表示電圧、が検出され、第１のＡ／Ｄ変換器８を介してＣＰＵ７に入力される。また、第１のＤ／Ａ変換器１０は可変ゲインアンプ１３に電気接続され、第２のＤ／Ａ変換器１１は、可変ゲインアンプ１３の出力端に接続された加算器１４に電気接続されている。そして、加算器１４の出力配線１８が、オシロスコープ１５に電気接続されている。
【００２４】
次に、差動増幅器６の出力電位差により最適黒表示電圧を求める方法について、図３（ａ）、（ｂ）と図４（ａ）、（ｂ）に基づき説明する。
【００２５】
液晶表示モジュール１の表示面における照度の液晶印加電圧に対する変化特性は、前述したように、図２（ａ）に示した液晶表示素子の電気光学特性のバラツキや、バックライトの輝度特性のバラツキ、或いはフォトセンサ２、３とモジュール表示面との距離等の部材設置条件のバラツキ等により、異なってくる。
【００２６】
まず、図３（ａ）に示すように、二点鎖線で示した設計上の特性曲線Ｒに比べて、モジュール表示面の照度の液晶印加電圧に対する特性が、曲線Ａのように照度が最小値となるポイントＰの近傍で急激に低下する場合や、曲線ＢのようにポイントＰの近傍における照度低下が緩慢な場合について述べる。
【００２７】
このようなモジュール表示面の照度の液晶印加電圧に対する変化率のバラツキは、主に液晶表示素子の電気光学特性のバラツキに起因して発現するものである。このような特性を備えた液晶表示モジュール１に対して可変抵抗器１ｅのボリュームを操作して黒表示電圧を変化させたときの差動増幅器６の出力電位差の変化特性を図示すると、図３（ｂ）に二点鎖線で示す曲線Ａ１と曲線Ｂ１になる。
【００２８】
図３（ａ）における照度の変化率が前記ポイントＰ近傍で急激な曲線Ａの特性を備えた液晶表示モジュールの場合、変化特性は、図３（ｂ）の曲線Ａ１で示されるように、曲線の極大点近傍での変化率が急峻な変化特性曲線となる。
【００２９】
一方、図３（ａ）における照度の変化率が前記ポイントＰ近傍で緩慢な曲線Ｂで示される電気光学特性を備えた液晶表示モジュールの場合、変化特性は、図３（ｂ）の曲線Ｂ１で示されるように、曲線の極大点近傍での曲率が緩慢で極大点の特定が困難な曲線となる。
【００３０】
上述の何れの場合も、光透過率つまり照度が最小となる最適黒表示電圧を特定することが困難となるため、この発明では次のようなゲイン補正を施す。
【００３１】
コントローラ１２のＣＰＵ７が、調整作業者が可変抵抗器１ｅのボリュームを操作して黒表示電圧を変化させた際の電圧変化量を第１のＡ／Ｄ変換器８を介して測定するとともに、このボリューム調整操作に伴って変化する差動増幅器６の出力電位差の変化量も第２のＡ／Ｄ変換器９を介して測定し、これらの変化量の比つまり変化率に基づいて、図３（ｂ）に実線で示す黒表示電圧の調整に最適な特性曲線Ｒに修正するための補正乗数つまりゲインを演算により算出し、これを第１のＤ／Ａ変換器１０を介して可変ゲインアンプ１３に出力する。可変ゲインアンプ１３はこのゲイン補正乗数に基づき差動増幅器６から入力された電位差をゲイン補正する。その結果、可変抵抗器１ｅのボリュームを操作して黒表示電圧を変化させたときの差動増幅器６の出力電位差の変化特性は、図３（ｂ）に実線で示した設計上の特性曲線Ｒ１にほぼ一致する。
【００３２】
実際の調整操作においては、オシロスコープ１５の画面において、黒表示電圧調整ボリュームの操作とともに表示画面内に表示される差動増幅器６の出力電位差を示す横線が黒表示電圧調整ボリュームの操作とともに表示画面内において上下方向へ充分に大きく移動するから、調整作業者はオシロスコープの画面を目視しながら、調整ボリュームを最適黒表示電圧が得られるポイントに容易にセットできる。なお、可変ゲインアンプ１３の出力電圧は加算器１４を介してオシロスコープ１５に入力されるが、図３（ａ）の曲線Ａ或いは曲線Ｂの電気光学特性を備えた液晶表示モジュールの場合、コントローラ１２のＣＰＵ７が次に述べるオフセット補正は不要であると判断し、可変ゲインアンプ１３の出力電圧はそのままオシロスコープ１５に入力される。
【００３３】
次に、図４（ａ）に示すように、モジュール表示面の照度の液晶印加電圧に対する特性曲線が、曲線Ａ２のように照度の最低値が予め定めた設計値を示す曲線Ｒ２と一致しない場合や、曲線Ｂ２のように照度の最高値が曲線Ｒ２の値よりも高くなった場合について述べる。
【００３４】
このようにモジュール表示面の照度の絶対値がばらつく特性は、主に液晶表示モジュールにおけるバックライトの輝度のバラツキや第１、第２フォトセンサ２、３とモジュール表示面との距離のバラツキ等に起因して発現するものである。このような状態下において液晶表示モジュール１に対し黒表示電圧を変化させたときの差動増幅器６の出力電位差の変化特性を図示すると、図４（ｂ）に二点鎖線で示す曲線Ａ３と曲線Ｂ３になる。
【００３５】
図４（ａ）における照度の最低値が予め定めた設計値を示す曲線Ｒ２より高い曲線Ａ２のような特性が得られる液晶表示モジュールの場合、差動増幅器出力電位差の変化特性は、図４（ｂ）の曲線Ａ３で示されるように、極大点が設計値曲線Ｒ３の極大点から図中下方に大きくずれてしまう。この場合、オシロスコープの画面では、増幅器６の出力電位差レベルを示す画面上の横線が、黒表示電圧調整ボリュームの操作に伴いオシロスコープの表示画面に下方から僅かに現れるか或いは全く現れない。
【００３６】
また、図４（ａ）における照度の最高値が予め定めた設計値を示す曲線Ｒ２より高い曲線Ｂ２のような特性を備えた液晶表示モジュールの場合、その変化特性は、図４（ｂ）の曲線Ｂ３で示されるように、極大点が設計値曲線Ｒ３の極大点から上方へずれてしまう。この場合、オシロスコープの画面では、差動増幅器６の出力電位差レベルを示す画面上の横線が黒表示電圧調整ボリュームの操作に伴いオシロスコープの表示画面の上方に消えてしまう。
【００３７】
上述した何れの場合も、光透過率が最小値となる最適黒表示電圧を特定することが困難であるため、次のようなオフセット補正を施す。
【００３８】
コントローラ１２のＣＰＵ７が、調整作業者が可変抵抗器１ｄのボリュームを操作して黒表示電圧を変化させる際のボリューム操作初期時における差動増幅器６の出力電位差を第２のＡ／Ｄ変換器９を介して測定し、この測定値に基づき、図４（ｂ）に実線で示す黒表示電圧の調整に最適な特性曲線Ｒ３に修正するためのオフセット補正量を演算により算出し、これを第２のＤ／Ａ変換器１１を介して加算器１４に出力する。加算器１４はこのオフセット補正量を、可変ゲインアンプ１３を介して入力された電圧値に加算し、オシロスコープ１５に向けて出力する。その結果、オシロスコープ１５の画面では、上述したゲイン補正の場合と同様に、黒表示電圧調整ボリュームの操作による黒表示電圧の変化に応じて、差動増幅器６の出力電位差を示す横線が黒表示電圧調整ボリュームの操作とともに表示画面内において上下方向へ充分に大きく移動するから、調整作業者はオシロスコープの画面を観察しながら、調整ボリュームを最適黒表示電圧が得られるポイントに容易にセットできる。
【００３９】
なお、加算器１４には、差動増幅器６の出力電位差が可変ゲインアンプ１３を介して入力されるが、図４（ａ）の曲線Ａ２或いは曲線Ｂ２の電気光学特性を備えた液晶表示モジュールの場合は、コントローラ１２のＣＰＵ７が前述したゲイン補正は不要であると判断し、差動増幅器６の出力電位差はそのまま加算器１４に入力される。
【００４０】
また、図５(ａ)に示すように、モジュール表示面の照度の液晶印加電圧に対する特性が、曲線Ａ４のように、照度の最低値が二点鎖線で示した設計上の特性曲線Ｒ４と一致せず、且つ照度の最低値近傍における変化が緩慢な場合、黒表示電圧を変化させたときの差動増幅器６の出力電位差の変化特性は、図５（ｂ）に二点鎖線で示される曲線Ａ５のように曲率が緩慢で且つ極大点が設計値曲線Ｒ５の極大点から下方に大きく外れた曲線となる。この場合、オシロスコープの画面では、差動増幅器の出力電位差のレベルを示す横線が表示画面の下縁近傍で僅かに現れるだけである。従って、このような場合は、照度が最低となる最適黒表示電圧を特定することが極めて困難であるため、上述したゲイン補正とオフセット補正の双方の補正を行う。その結果、上述したゲイン補正やオフセット補正を単独に行った場合と同様に、黒表示電圧調整ボリュームの操作に伴う差動増幅器の出力電位差を示す横線が黒表示電圧調整ボリュームの操作とともにオシロスコープの表示画面内において、上下方向へ充分に大きく移動し、調整ボリュームを最適黒表示電圧が得られるポイントに容易にセットできる。
【００４１】
以上のように、本実施形態においては、液晶表示モジュール１の白表示と黒表示の各エリアからの透過光を第１と第２のフォトセンサ２、３によりそれぞれ起電力に変換して取り出し、それら起電力間の電位差を差動増幅器６により検出し、この差動増幅器６の出力電位差を可変ゲインアンプ１３、加算器１４、及びそれらのコントローラ１２からなるゲイン補正とオフセット補正が可能な出力補正手段を介してオシロスコープ１５に入力するから、オシロスコープ１５においては常に、差動増幅器６の出力電位差を示す横線が黒表示電圧調整ボリュームの操作とともに表示画面内において上下方向へ充分に大きく移動し、最適黒表示電圧の設定を常に正確且つ容易に行うことができる。
【００４２】
なお、本発明は、上記の実施形態に限定されるものではない。
例えば、白表示と黒表示の照度差に基づく電位差レベルを表示する手段としては、オシロスコープに限らず、アナログ或いはデジタル電圧計等も用いることもできる。
【００４３】
また、本発明は、ホモジニアス型液晶表示素子を用いた透過型液晶表示モジュールにおける黒表示電圧の調整に限らず、ツイストネマチック型液晶表示素子を用いた反射型液晶表示モジュール等の他の種々の液晶表示モジュールの黒表示電圧の調整に広く適用できることは、勿論である。
【図面の簡単な説明】
【００４４】
【図１】本発明の一実施形態を示すブロック図で、透過型液晶表示モジュールにおける黒表示電圧の調整を行うための表示特性を検出する装置の構成を示している。
【図２】(ａ)はホモジニアス液晶表示素子における光透過率の対液晶印加電圧特性を示すグラフ図で、(ｂ)は上記実施形態における液晶表示モジュールで表示される白黒テストパターンである。
【図３】(ａ)は上記実施形態における液晶表示モジュールの表示面における照度の対液晶印加電圧特性を示すグラフ図で、(ｂ)は(ａ)で示した特性に基づく表示特性曲線を示すグラフ図である。
【図４】(ａ)は上記実施形態における他の液晶表示モジュールの表示面における照度の対液晶印加電圧特性を示すグラフ図で、(ｂ)は(ａ)で示した特性に基づく表示特性曲線を示すグラフ図である。
【図５】(ａ)は上記実施形態における更に他の液晶表示モジュールの表示面における照度の対液晶印加電圧特性を示すグラフ図で、(ｂ)は(ａ)で示した特性に基づく表示特性曲線を示すグラフ図である。
【符号の説明】
【００４５】
１                        液晶表示モジュール
２、３                    フォトセンサ
４、５                    フォトセンサアンプ
６                        差動増幅器
７                        ＣＰＵ
８、９                    Ａ／Ｄ変換器
１０、１１                Ｄ／Ａ変換器
１２                      コントローラ
１３                      可変ゲインアンプ
１４                      加算器
１３                      配線
１５                      オシロスコープ
【図１】
2006178365.tif 000003
【図２】
2006178365.tif 000004
【図３】
2006178365.tif 000005
【図４】
2006178365.tif 000006
【図５】
2006178365.tif 000007